【事件の表示】
　特許第６５０９２３７号発明「固定装置」の特許異議申立事件について、次のとおり決定する。
【結　論】
　特許第６５０９２３７号の特許請求の範囲を訂正請求書に添付された訂正特許請求の範囲のとおり、訂正後の請求項〔１−６〕、〔７−１０〕について訂正することを認める。
　特許第６５０９２３７号の請求項１ないし４、６ないし１０に係る特許を維持する。
　特許第６５０９２３７号の請求項５に係る特許についての特許異議の申立てを却下する。
【理　由】
１　手続の経緯  　
　特許第６５０９２３７号（以下、「本件特許」という。）の請求項１−１０に係る特許についての出願は、２０１５年（平成２７年）３月２０日（パリ条約による優先権主張外国庁受理　２０１４年３月２１日　（ＧＢ）英国）を国際出願日とする出願であって、平成３１年４月１２日にその特許権の設定登録がされ、令和１年５月８日に特許掲載公報が発行された。
　これに対し、令和１年１１月８日付けで特許異議申立人佐藤一彬（以下「申立人」という。）により特許異議の申立てがされ、当審は、令和２年１月１６日付けで取消理由を通知した。特許権者は、その指定期間内である令和２年４月２０日に意見書の提出及び訂正の請求（以下、「本件訂正請求」という。）を行い、その訂正の請求に対して、申立人は、令和２年６月１２日に意見書を提出した。  
２　訂正の適否についての判断  
１）請求項１−６に係る訂正
（１）訂正の内容 
　請求項１−６に係る訂正の内容は、以下のア−ウのとおりである。
ア　訂正事項１
　特許請求の範囲の請求項１を「固定構造部材を人工的気道デバイスの気道チューブに対して着脱可能に固定するための固定装置であって、
　前記固定装置が、この固定装置の解除状態においては、前記気道チューブの外表面に対しての係留的な軸線方向移動が可能とされ、
　前記固定装置が、この固定装置の固定状態においては、前記気道チューブに対しての軸線方向移動が阻止され、
　前記固定装置が、前記固定装置が前記固定状態とされたときには前記気道チューブの前記外表面の面積部分に対して圧縮負荷を印加する圧縮手段を具備し、
　前記固定装置が、さらに、前記気道チューブの前記外表面上において前記圧縮負荷を集中させるための径方向負荷集中手段を具備しており、
　前記径方向負荷集中手段が、少なくとも２つの組をなす、互いに近接して離間配置された複数のリッジを有して
おり、
　
互いに近接して離間配置された前記複数のリッジからなる組どうしが、組内における個々のリッジどうしの間の離間距離と比較してより大きな離間距離でもって、軸線方向において互いに離間されている、
ことを特徴とする固定装置。」に訂正する（請求項１の記載を引用する訂正後の請求項２−４、６も同様に訂正する。）。
イ　訂正事項２
　特許請求の範囲の請求項５を削除する。
ウ　訂正事項３
　特許請求の範囲の請求項６を「請求項１〜
４
　前記固定装置が、１つまたは複数の固定ストラップを具備している、ことを特徴とする固定装置。」に訂正する。
（２）一群の請求項について
　訂正前の請求項２−６は、訂正請求の対象である訂正前の請求項１を直接的または間接的に引用するから、請求項１−６は特許法第１２０条の５第４項に規定する一群の請求項を構成するものであり、請求項１−６に係る訂正は、当該一群の請求項ごとに訂正の請求がされたものである。
（３）訂正の目的の適否、新規事項の有無、及び特許請求の範囲の拡張・変更の存否  
ア　訂正事項１ 
　訂正事項１は、訂正前の請求項１の発明特定事項である「少なくとも２つの組をなす、互いに近接して離間配置された複数のリッジ」について、「互いに近接して離間配置された前記複数のリッジからなる組どうしが、組内における個々のリッジどうしの間の離間距離と比較してより大きな離間距離でもって、軸線方向において互いに離間されている」との限定を付するものであるから、特許法第１２０条の５第２項ただし書第１号に規定する特許請求の範囲の減縮を目的とするものである。
　また、当該限定事項は、本件特許請求の範囲の訂正前の請求項５に記載されており、訂正事項１は、新規事項を追加するものではなく、実質上特許請求の範囲を拡張し、又は変更するものでもない。
イ　訂正事項２ 
　訂正事項２は、訂正前の請求項５を削除するものであるから、特許法第１２０条の５第２項ただし書第１号に規定する特許請求の範囲の減縮を目的とするものであって、新規事項を追加するものではなく、実質上特許請求の範囲を拡張し、又は変更するものでもない。
ウ　訂正事項３
　訂正事項３は、訂正前の請求項６が請求項１〜５のいずれか１項の記載を引用していたものを、記載が削除された請求項５を引用しないように訂正するもの、すなわち請求項の記載を整合させるものであるから、特許法第１２０条の５第２項ただし書第３号に規定する明瞭でない記載の釈明を目的とするものである。また、訂正事項３は、新規事項を追加するものでなく、特許請求の範囲を拡張・変更するものでもない。
（４）小括
　以上のとおり、本件訂正請求による訂正は、特許法第１２０条の５第２項ただし書第１号及び第３号に掲げる事項を目的とするものであり、かつ、同条第９項において準用する同法第１２６条第５項及び第６項の規定に適合し、さらに同法第１２０条の５第４項の規定に適合する。
　したがって、訂正請求書に添付された訂正特許請求の範囲のとおり、訂正後の請求項〔１−６〕について訂正を認める。
２）請求項７−１０に係る訂正
（１）訂正の内容 
　請求項７−１０に係る訂正の内容は、以下のアのとおりである。
ア　訂正事項１
　特許請求の範囲の請求項７を「患者内に気道を確立するに際して使用するための人工的気道デバイスであって、
　気道チューブと、固定構造部材を前記気道チューブに対して着脱可能に固定するための固定装置と、を具備してなり、
　前記固定装置が、この固定装置の解除状態においては、前記気道チューブの外表面に対しての係留的な軸線方向移動が可能とされ、
　前記固定装置が、この固定装置の固定状態においては、前記気道チューブに対しての軸線方向移動が阻止され、
　前記固定装置が、前記固定装置が前記固定状態とされたときには前記気道チューブの前記外表面の面積部分に対して圧縮負荷を印加する圧縮手段を具備し、
　前記固定装置が、さらに、前記気道チューブの前記外表面上において前記圧縮負荷を集中させるための径方向負荷集中手段を具備しており、
　前記径方向負荷集中手段が、少なくとも２つの組をなす、互いに近接して離間配置された複数のリッジを有して
おり、
　
互いに近接して離間配置された前記複数のリッジからなる組どうしが、組内における個々のリッジどうしの間の離間距離と比較してより大きな離間距離でもって、軸線方向において互いに離間されている、
ことを特徴とする人工的気道デバイス。」に訂正する（請求項７の記載を引用する訂正後の請求項８−１０も同様に訂正する。）。
（２）一群の請求項について
　訂正前の請求項８−１０は、訂正請求の対象である訂正前の請求項７を直接的または間接的に引用するから、請求項７−１０は特許法第１２０条の５第４項に規定する一群の請求項を構成するものであり、請求項７−１０に係る訂正は、当該一群の請求項ごとに訂正の請求がされたものである。
（３）訂正の目的の適否、新規事項の有無、及び特許請求の範囲の拡張・変更の存否
ア　訂正事項１ 
　訂正事項１は、訂正前の請求項７の発明特定事項である「少なくとも２つの組をなす、互いに近接して離間配置された複数のリッジ」について、「互いに近接して離間配置された前記複数のリッジからなる組どうしが、組内における個々のリッジどうしの間の離間距離と比較してより大きな離間距離でもって、軸線方向において互いに離間されている」との限定を付するものであるから、特許法第１２０条の５第２項ただし書第１号に規定する特許請求の範囲の減縮を目的とするものである。
　また、当該限定事項は、本件特許請求の範囲の訂正前の請求項５に記載されており、訂正事項１は、新規事項を追加するものではなく、実質上特許請求の範囲を拡張し、又は変更するものでもない。
（４）小括
　以上のとおり、本件訂正請求による訂正は、特許法第１２０条の５第２項ただし書第１号に掲げる事項を目的とするものであり、かつ、同条第９項において準用する同法第１２６条第５項及び第６項の規定に適合し、さらに同法第１２０条の５第４項の規定に適合する。
　したがって、訂正請求書に添付された訂正特許請求の範囲のとおり、訂正後の請求項〔７−１０〕について訂正を認める。
３　特許異議の申立てについて
（１）本件発明
　上記２のとおり、本件訂正請求は認められるから、本件特許の請求項１−４、６−１０の特許に係る発明（以下、「本件発明１」−「本件発明４」、「本件発明６」−「本件発明１０」という。また、本件発明１−４、６−１０をまとめて「本件発明」ということもある。）は、訂正特許請求の範囲の請求項１−４、６−１０に記載された事項により特定される以下のとおりのものである。
「【請求項１】　固定構造部材を人工的気道デバイスの気道チューブに対して着脱可能に固定するための固定装置であって、
　前記固定装置が、この固定装置の解除状態においては、前記気道チューブの外表面に対しての係留的な軸線方向移動が可能とされ、
　前記固定装置が、この固定装置の固定状態においては、前記気道チューブに対しての軸線方向移動が阻止され、
　前記固定装置が、前記固定装置が前記固定状態とされたときには前記気道チューブの前記外表面の面積部分に対して圧縮負荷を印加する圧縮手段を具備し、
　前記固定装置が、さらに、前記気道チューブの前記外表面上において前記圧縮負荷を集中させるための径方向負荷集中手段を具備しており、
　前記径方向負荷集中手段が、少なくとも２つの組をなす、互いに近接して離間配置された複数のリッジを有しており、
　互いに近接して離間配置された前記複数のリッジからなる組どうしが、組内における個々のリッジどうしの間の離間距離と比較してより大きな離間距離でもって、軸線方向において互いに離間されている、
ことを特徴とする固定装置。
【請求項２】
　請求項１記載の固定装置において、
　前記固定装置が、貫通穴を規定するコレットと、コレットナットと、を具備している、ことを特徴とする固定装置。
【請求項３】
　請求項２記載の固定装置において、
　前記圧縮手段が、前記コレット上に設けられた複数の弾性アームを有し、
　前記コレットナットの回転によって前記弾性アームが前記コレットナットの貫通穴内へと収容された際には、これら弾性アームの漸次的な径方向圧縮が引き起こされ、これにより、前記コレットの前記貫通穴の直径が漸次的に低減され、これにより、前記固定状態が得られる、ことを特徴とする固定装置。
【請求項４】
　請求項３記載の固定装置において、
　前記コレットナットの内表面、および、前記弾性アームの外表面が、互いに係合するネジ山を有している、ことを特徴とする固定装置。」
「【請求項６】
　請求項１〜４のいずれか１項に記載の固定装置において、
　前記固定装置が、１つまたは複数の固定ストラップを具備している、ことを特徴とする固定装置。
【請求項７】
　患者内に気道を確立するに際して使用するための人工的気道デバイスであって、
　気道チューブと、固定構造部材を前記気道チューブに対して着脱可能に固定するための固定装置と、を具備してなり、
　前記固定装置が、この固定装置の解除状態においては、前記気道チューブの外表面に対しての係留的な軸線方向移動が可能とされ、
　前記固定装置が、この固定装置の固定状態においては、前記気道チューブに対しての軸線方向移動が阻止され、
　前記固定装置が、前記固定装置が前記固定状態とされたときには前記気道チューブの前記外表面の面積部分に対して圧縮負荷を印加する圧縮手段を具備し、
　前記固定装置が、さらに、前記気道チューブの前記外表面上において前記圧縮負荷を集中させるための径方向負荷集中手段を具備しており、
　前記径方向負荷集中手段が、少なくとも２つの組をなす、互いに近接して離間配置された複数のリッジを有しており、
　互いに近接して離間配置された前記複数のリッジからなる組どうしが、組内における個々のリッジどうしの間の離間距離と比較してより大きな離間距離でもって、軸線方向において互いに離間されている、
ことを特徴とする人工的気道デバイス。
【請求項８】
　請求項７記載の人工的気道デバイスにおいて、
　前記人工的気道デバイスが、前記気道チューブとして気管内チューブを具備している、ことを特徴とする人工的気道デバイス。
【請求項９】
　請求項７記載の人工的気道デバイスにおいて、
　前記人工的気道デバイスが、前記気道チューブとして気管カニューレを具備している、ことを特徴とする人工的気道デバイス。
【請求項１０】
　請求項７〜９のいずれか１項に記載の人工的気道デバイスにおいて、
　前記気道チューブが、壁内管腔を有したものとして構成されている、
ことを特徴とする人工的気道デバイス。」
（２）当審の取消理由
ア　取消理由の概要
　特許権者に通知した令和２年１月１６日付け取消理由の要旨は、以下ア−ウのとおりである。
　なお、申立人が申し立てた全ての申立理由が通知された。
（ア）取消理由１
　本件発明１−４、６−１０は、甲第１号証に記載された発明及び甲第３、４号証にみられるような周知技術に基いて、本願の優先日前に当業者が容易に発明をすることができたものである。よって、本件発明１−４、６−１０は、特許法第２９条第２項の規定に違反してされたものであり、取り消されるべきものである。
（イ）取消理由２
　本件発明１−４、６−１０は、発明の詳細な説明に記載されたものではなく、特許法第３６条第６項第１号に規定する要件を満たしていないから、その発明に係る特許は取り消されるべきものである。
（ウ）取消理由３
　本件発明１−４、６−１０は、明確ではなく、特許法第３６条第６項第２号に規定する要件を満たしていないから、その発明に係る特許は取り消されるべきものである。
イ　甲号証及びその記載事項
甲第１号証：実用新案登録第２５２３５８０号公報
甲第３号証：特開平２−２３９８７３号公報
甲第４号証：特表２００９−５４１００１号公報
　甲第１号証（特に、２欄１３行−１５行、４欄３１行ー５欄３３行、第１Ａ図−第４図参照。）には、以下の発明（以下、「引用発明」という。）が記載されている。
「弾性フランジ５を気管切開チューブ６に対して着脱可能に固定するための固定具１であって、
　前記固定具１が、この固定具１の固定を解いた状態においては、前記気管切開チューブ６上を摺動可能とされ、
　前記固定具１が、この固定具１の固定状態においては、前記気管切開チューブ６に対して固定され、
　前記固定具１が、前記固定具１が前記固定状態とされたときには前記気管切開チューブ６を締め付ける爪部１６を具備している固定具１。」
　甲第３号証（特に、２頁左下欄１８行−３頁右上欄１６行、全図参照。「３個の円周方向リブ１６」が３つの組をなしている点参照。）、甲第４号証（特に、［００１０］−［００１５］、全図参照。「４つのリング３０」によって１つの組が、「３つのリング３４」によって他の１つの組がなされている点参照。）にみられるように、
「気道チューブの外表面上において圧縮負荷を集中させるための径方向負荷集中手段を具備しており、前記径方向負荷集中手段が、少なくとも２つの組をなす、互いに近接して離間配置された複数のリッジを有している気道チューブの固定装置。」
は、本件特許の優先日前の周知技術であるといえる。
（３）当審の判断
ア　取消理由に記載した取消理由について
（ア）取消理由１について
　本件発明１と引用発明とを対比すると、後者の「弾性フランジ５」は前者の「固定構造部材」に相当し、以下同様に、「気管切開チューブ６」は「人工的気道デバイスの気道チューブ」及び「気道チューブ」に、「固定具１」は「固定装置」に、「固定を解いた状態」は「解除状態」に、「気管切開チューブ６上を摺動可能とされ」は「気道チューブの外表面に対しての係留的な軸線方向移動が可能とされ」に、「気管切開チューブ６に対して固定され」は「気道チューブに対しての軸線方向移動が阻止され」に、「気管切開チューブ６を締め付ける爪部１６」は「気道チューブの外表面の面積部分に対して圧縮負荷を印加する圧縮手段」に、それぞれ相当する。
　よって、両者は、
「固定構造部材を人工的気道デバイスの気道チューブに対して着脱可能に固定するための固定装置であって、
　前記固定装置が、この固定装置の解除状態においては、前記気道チューブの外表面に対しての係留的な軸線方向移動が可能とされ、
　前記固定装置が、この固定装置の固定状態においては、前記気道チューブに対しての軸線方向移動が阻止され、
　前記固定装置が、前記固定装置が前記固定状態とされたときには前記気道チューブの前記外表面の面積部分に対して圧縮負荷を印加する圧縮手段を具備している固定装置。」
という点で一致し、以下の点で相違する。
［相違点］
　本件発明１は、固定装置が、さらに、気道チューブの外表面上において圧縮負荷を集中させるための径方向負荷集中手段を具備しており、前記径方向負荷集中手段が、少なくとも２つの組をなす、互いに近接して離間配置された複数のリッジを有しており、互いに近接して離間配置された前記複数のリッジからなる組どうしが、組内における個々のリッジどうしの間の離間距離と比較してより大きな離間距離でもって、軸線方向において互いに離間されているのに対し、引用発明は、固定具１が、そのような径方向負荷集中手段を有していない点。
　これに対し、甲第３、４号証からは、「気道チューブの外表面上において圧縮負荷を集中させるための径方向負荷集中手段を具備しており、前記径方向負荷集中手段が、少なくとも２つの組をなす、互いに近接して離間配置された複数のリッジを有している」点については周知技術であるといえるものの、「互いに近接して離間配置された複数のリッジからなる組どうしが、組内における個々のリッジどうしの間の離間距離と比較してより大きな離間距離でもって、軸線方向において互いに離間されている」点まで含めて周知技術であるとはいえないし、甲第３、４号証にも記載されていない。
　したがって、甲第１、３、４号証のいずれにも、本件発明１−４、６−１０の径方向負荷集中手段が、「互いに近接して離間配置された複数のリッジからなる組どうしが、組内における個々のリッジどうしの間の離間距離と比較してより大きな離間距離でもって、軸線方向において互いに離間されている」点は記載されていない。
　そして、本件発明１−４、６−１０は、「単一のリッジの場合には、コレットナット８を締め過ぎた際に、気道チューブの外表面上の狭い面積に、径方向圧縮力を集中させ過ぎてしまう」（明細書【００２２】）ことを抑制し、「繊細な気道チューブ構造を損傷させることなくなおかつ臨床的な設定時に精密な操作を必要とすることなく安定的な固定が確保されるような、安全なタイプの手法を提供する。」（明細書【００２２】）との格別の効果を奏するものである。
　以上より、本件発明１−４、６−１０は、甲第１号証に記載された発明及び甲第３、４号証にみられるような周知技術に基いて、本件特許の優先日前に当業者が容易に発明をすることができたものではなく、特許法第２９条第２項の規定により特許を受けることができないものではないから、その発明に係る特許は、取消理由１によっては取り消すことができない。
（イ）取消理由２について
　取消理由２は、本件発明１−４、６−１０のリッジがなす「少なくとも２つの組」に関し、発明の詳細な説明には、「リッジの一方の組と他方の組とは・・・長手方向軸線に沿って、互いに離間されている」（［００１８］）とのみ記載されている。しかしながら、本件発明１−４、６−１０は、「少なくとも２つの組」の配置、特に離間の方向が特定されておらず、発明の詳細な説明に記載されていないものを含んでいるから、本件発明１−４、６−１０は、発明の詳細な説明に記載されたものではない、というものである。
　しかしながら、上記２のとおり本件訂正が認められたことによって、本件発明の「少なくとも２つの組」は、「互いに近接して離間配置された前記複数のリッジからなる組どうしが、組内における個々のリッジどうしの間の離間距離と比較してより大きな離間距離でもって、軸線方向において互いに離間されている」ものとなり、「少なくとも２つの組」の配置、特に離間の方向は発明の詳細な説明に記載したものとなった。
　よって、本件発明１−４、６−１０は、発明の詳細な説明に記載されたものであり、特許法第３６条第６項第１号に規定する要件に適合するから、その発明に係る特許は、取消理由２によっては取り消すことができない。
（ウ）取消理由３について
　取消理由３は、本件発明１−４、６−１０の「径方向負荷集中手段が、少なくとも２つの組をなす、互いに近接して離間配置された複数のリッジを有している」という技術的事項に関し、複数のリッジによって１つの組をなすものを特定しているのか、１つのリッジによって１つの組をなすものも含んでいるのか明確でない、というものである。
　しかしながら、上記２のとおり本件訂正が認められたことによって、本件発明の「少なくとも２つの組」は、「互いに近接して離間配置された前記複数のリッジからなる組どうしが、組内における個々のリッジどうしの間の離間距離と比較してより大きな離間距離でもって、軸線方向において互いに離間されている」ものとなり、複数のリッジによって１つの組をなすものを特定していることが明確となった。
　よって、本件発明１−４、６−１０は、明確であり、特許法第３６条第６項第２号に規定する要件に適合するから、その発明に係る特許は、取消理由３によっては取り消すことができない。
イ　申立人の意見について
　申立人は、令和２年６月１２日提出の意見書において、訂正の請求により特定された「互いに近接して離間配置された前記複数のリッジからなる組どうしが、組内における個々のリッジどうしの間の離間距離と比較してより大きな離間距離でもって、軸線方向において互いに離間されている」点は、新たに提示した参考資料（特許第２５７５２７７号公報）に記載されたような周知技術であり、本件発明１、７は、引用文献１ないし４（当審注：甲第１号証ないし甲第４号証のことと認められる。）及び参考文献から当業者であれば容易に想到するものである、と主張する。
　しかしながら、上記ア（ア）、イのとおり、甲第１−４号証には、「互いに近接して離間配置された前記複数のリッジからなる組どうしが、組内における個々のリッジどうしの間の離間距離と比較してより大きな離間距離でもって、軸線方向において互いに離間されている」点は記載されていない。そして、当該技術的事項は、上記イに記載のとおり、訂正前の請求項５に記載された技術的事項であるから、新たに提出された参考資料は実質的に新たな証拠の提示ともいえるが、念のため以下検討する。
　参考資料に記載の技術は、「カテーテル管のようなチューブを患者に固着する固定器具」（【０００１】）に関するものであり、本件発明や甲第１号証記載の発明の気道チューブのための固定具とは、技術分野が異なる。また、そのように技術分野が異なるから、参考資料記載の固定器具は、本件発明や甲第１号証記載の発明と比較して、軸方向に一定程度長尺なものとなっており、軸方向長尺だからこそ、互いに近接して離間配置された複数のリッジからなる組どうしが、組内における個々のリッジどうしの間の離間距離と比較してより大きな離間距離でもって、軸線方向において互いに離間されているという技術的事項をなし得たといえる。技術分野を異にするそのような技術的事項を、軸方向短尺な甲第１号証記載の発明の気管切開チューブ用固定具に採用しようという積極的な動機付けがあるとはいえない。さらにいえば、本件発明１−４、６−１０は、軸方向短尺な気道チューブのための固定具において、当該技術的事項を採用したことによって、組内の各リッジ間が密となり、１つのリッジに係る径方向圧縮力が分散されるから、「単一のリッジの場合には、コレットナット８を締め過ぎた際に、気道チューブの外表面上の狭い面積に、径方向圧縮力を集中させ過ぎてしまう」（明細書【００２２】）ことを抑制するという効果を奏するものと認められるが、参考資料に記載の固定器具は、上記のとおり軸方向に一定程度長尺なものとなっているから、リッジ（「リブ、又はスタッド６０ｂ、６２ｂ」、「リブ、又は同様の突起７８ａ」が相当する。）が組内においてある程度離間されて設けられており、上記効果を期待できるものでもない。
　よって、甲第１号証に記載された発明に参考資料に記載された技術を採用する動機付けはなく、また、本件発明１−４、６−１０が奏する効果も自明なものとはいえない。
　したがって、本件発明１−４、６−１０は、甲第１号証に記載された発明及び甲第２−４号証に記載された技術、参考資料に記載された技術に基いて、本願の優先日前に当業者が容易に発明をすることができたものではなく、特許法第２９条第２項の規定により特許を受けることができないものとすることはできない。
４　むすび
　以上のとおり、取消理由通知に記載した取消理由によっては、本件発明１−４、６−１０に係る特許を取り消すことはできない。
　また、他に請求項１−４、６−１０に係る特許を取り消すべき理由を発見しない。
　そして、上記２のとおり、本件訂正が認められたことによって、請求項５は削除され、請求項５に係る特許についての異議の申立ては、その対象が存在しないものとなった。
　したがって、請求項５に係る特許についての異議の申立ては、不適法であって、その補正をすることができないものであるから、特許法第１２０条の８第１項で準用する同法第１３５条の規定によって却下すべきものである。
　よって、結論のとおり決定する。
【異議決定日】
令和２年８月７日（２０２０．８．７）
【訂正の要旨】
審決（決定）の【理由】欄参照。
（５７）【特許請求の範囲】
　【請求項１】
　固定構造部材を人工的気道デバイスの気道チューブに対して着脱可能に固定するための固定装置であって、
　前記固定装置が、この固定装置の解除状態においては、前記気道チューブの外表面に対しての係留的な軸線方向移動が可能とされ、
　前記固定装置が、この固定装置の固定状態においては、前記気道チューブに対しての軸線方向移動が阻止され、
　前記固定装置が、前記固定装置が前記固定状態とされたときには前記気道チューブの前記外表面の面積部分に対して圧縮負荷を印加する圧縮手段を具備し、
　前記固定装置が、さらに、前記気道チューブの前記外表面上において前記圧縮負荷を集中させるための径方向負荷集中手段を具備しており、
　前記径方向負荷集中手段が、少なくとも２つの組をなす、互いに近接して離間配置された複数のリッジを有して
おり、
　互いに近接して離間配置された前記複数のリッジからなる組どうしが、組内における個々のリッジどうしの間の離間距離と比較してより大きな離間距離でもって、軸線方向において互いに離間されている、
ことを特徴とする固定装置。
　【請求項２】
　請求項１記載の固定装置において、
　前記固定装置が、貫通穴を規定するコレットと、コレットナットと、を具備している、ことを特徴とする固定装置。
　【請求項３】
　請求項２記載の固定装置において、
　前記圧縮手段が、前記コレット上に設けられた複数の弾性アームを有し、
　前記コレットナットの回転によって前記弾性アームが前記コレットナットの貫通穴内へと収容された際には、これら弾性アームの漸次的な径方向圧縮が引き起こされ、これにより、前記コレットの前記貫通穴の直径が漸次的に低減され、これにより、前記固定状態が得られる、
ことを特徴とする固定装置。
　【請求項４】
　請求項３記載の固定装置において、
　前記コレットナットの内表面、および、前記弾性アームの外表面が、互いに係合するネジ山を有している、
ことを特徴とする固定装置。
　【請求項５】（削除）
　【請求項６】
　請求項１〜
４
　前記固定装置が、１つまたは複数の固定ストラップを具備している、
ことを特徴とする固定装置。
　【請求項７】
　患者内に気道を確立するに際して使用するための人工的気道デバイスであって、
　気道チューブと、固定構造部材を前記気道チューブに対して着脱可能に固定するための固定装置と、を具備してなり、
　前記固定装置が、この固定装置の解除状態においては、前記気道チューブの外表面に対しての係留的な軸線方向移動が可能とされ、
　前記固定装置が、この固定装置の固定状態においては、前記気道チューブに対しての軸線方向移動が阻止され、
　前記固定装置が、前記固定装置が前記固定状態とされたときには前記気道チューブの前記外表面の面積部分に対して圧縮負荷を印加する圧縮手段を具備し、
　前記固定装置が、さらに、前記気道チューブの前記外表面上において前記圧縮負荷を集中させるための径方向負荷集中手段を具備しており、
　前記径方向負荷集中手段が、少なくとも２つの組をなす、互いに近接して離間配置された複数のリッジを有して
おり、
　互いに近接して離間配置された前記複数のリッジからなる組どうしが、組内における個々のリッジどうしの間の離間距離と比較してより大きな離間距離でもって、軸線方向において互いに離間されている、
ことを特徴とする人工的気道デバイス。
　【請求項８】
　請求項７記載の人工的気道デバイスにおいて、
　前記人工的気道デバイスが、前記気道チューブとして気管内チューブを具備している、ことを特徴とする人工的気道デバイス。
　【請求項９】
　請求項７記載の人工的気道デバイスにおいて、
　前記人工的気道デバイスが、前記気道チューブとして気管カニューレを具備している、ことを特徴とする人工的気道デバイス。
　【請求項１０】
　請求項７〜９のいずれか１項に記載の人工的気道デバイスにおいて、
　前記気道チューブが、壁内管腔を有したものとして構成されている、
ことを特徴とする人工的気道デバイス。